Podtech/llm-jp-corpus-v4-ja_patent huggingface dataset:
(57)【要約】【課題】従来、発電所定期点検時に長期に渡りユニットを停止し、ボイラチューブ等を修理した後に水圧テストによる検査方法があるが、この水圧テスト準備の水張りにより長時間停止・開放されて発生する懸濁物が蒸発管エルボ部に蓄積され、ボイラ運転中に該当部位の管内流に乱れが生じ、蒸発管が過熱損傷する恐れがある。【解決手段】ボイラ水張時にボイラ火炉に入る前の給水加熱器を有するプレボイラ系統の給水管路から、ボイラ火炉内のボイラ系統の蒸発管路に至るまでクリーンアップを行い、蒸発管エルボ部１０に蓄積した懸濁物を除去することからなるボイラ水張時におけるクリーンアップ方法。【選択図】図１
2008175482.tif 000002
【特許請求の範囲】
【請求項１】
ボイラ水張時にボイラ火炉に入る前の給水加熱器を有するプレボイラ系統の給水管路から、ボイラ火炉内のボイラ系統の蒸発管路に至るまでクリーンアップを行うことからなるボイラ水張時におけるクリーンアップ方法。
【請求項２】
請求項１に記載のボイラ水張時におけるクリーンアップ方法において、ボイラ系統の蒸発管路に蒸発管エルボ部が含まれていることからなるボイラ水張時におけるクリーンアップ方法。
【請求項３】
請求項１又は２に記載のボイラ水張時におけるクリーンアップ方法において、蒸発管エルボ部に蓄積した懸濁物を除去することからなるボイラ水張時におけるクリーンアップ方法。
【発明の詳細な説明】
【技術分野】
【０００１】
本発明は、ボイラ水張時におけるクリーンアップ方法に関する。
【背景技術】
【０００２】
従来、発電所定期点検のような長期に渡りユニットを停止し、ボイラチューブ等を修理した後の検査として水圧テストによる確認方法があり、この水圧テスト準備の水張り要領としては、プレボイラ系の復水器、脱気器への水張・ブロー時の水質管理しか実施していない。
【発明の開示】
【発明が解決しようとする課題】
【０００３】
この従来方法では、長時間停止・開放されていたことにより発生する懸濁物を除去するには不十分であり、その懸濁物がボイラ水張により蒸発管エルボ部に蓄積され、ボイラ運転中に該当部位の管内流に乱れが生じ、蒸発管が過熱損傷する恐れがある。
【課題を解決するための手段】
【０００４】
そこで、本発明は、請求項１に記載のように、ボイラ水張時にボイラ火炉に入る前の給水加熱器を有するプレボイラ系統の給水管路から、ボイラ火炉内のボイラ系統の蒸発管路に至るまでクリーンアップを行うことからなるボイラ水張時におけるクリーンアップ方法を提供するものである。
【０００５】
また、本発明は、請求項２に記載のように、請求項１に記載のボイラ水張時におけるクリーンアップ方法において、ボイラ系統の蒸発管路に蒸発管エルボ部が含まれていることからなるボイラ水張時におけるクリーンアップ方法を提供するものである。
【０００６】
また、本発明は、請求項３に記載のように、請求項１又は２に記載のボイラ水張時におけるクリーンアップ方法において、蒸発管エルボ部に蓄積した懸濁物を除去することからなるボイラ水張時におけるクリーンアップ方法を提供するものである。
【発明の効果】
【０００７】
本発明に係るボイラ水張時におけるクリーンアップ方法によれば、ボイラ水張時にボイラ火炉に入る前の給水加熱器を有するプレボイラ系統の給水管路から、ボイラ火炉内のボイラ系統の蒸発管路に至るまでクリーンアップを行う構成を有することにより、長時間停止・開放されていたことにより発生する懸濁物を除去することができ、懸濁物がボイラ水張によりボイラ火炉内のボイラ系統の蒸発管路に蓄積されることがなくなり、ボイラ運転中に管内流に乱れが生じ、蒸発管が過熱損傷する恐れがなくなる効果がある。
【０００８】
また、本発明は、請求項２に記載のように、請求項１に記載のボイラ水張時におけるクリーンアップ方法において、ボイラ系統の蒸発管路に蒸発管エルボ部が含まれていることからなる構成を有することにより、ボイラ水張時に懸濁物が蒸発管エルボ部に蓄積されることがなくなる効果がある。
【０００９】
また、本発明は、請求項３に記載のように、請求項１又は２に記載のボイラ水張時におけるクリーンアップ方法において、蒸発管エルボ部に蓄積した懸濁物を除去することからなる構成を有することにより、ボイラ水張時に蒸発管エルボ部に蓄積された懸濁物が除去され、ボイラ運転中に蒸発管エルボ部の管内流に乱れが生じ、蒸発管が過熱損傷する恐れがなくなる効果がある。
【発明を実施するための最良の形態】
【００１０】
以下図示する実施例のより本発明を詳細に説明する。
図２に記載の火力発電における配管の概略系統図において、復水ポンプ及び給水ポンプＰによって、復水系統の低圧タービンの復水器１、低圧給水加熱器２から脱気器３を介して給水系統の高圧給水加熱器４からボイラー５に供給された給水は、高温高圧蒸気にされて蒸気系統から高圧、中圧、低圧タービン６に供給され、発電機Ｇを回転して発電するように構成してある。
【００１１】
本発明に係るボイラ水張時におけるクリーンアップ方法によれば、ボイラ水張時にボイラ火炉に入る前の給水加熱器を有するプレボイラ系統の給水管路Ａから、ボイラ火炉内のボイラ系統の蒸発管路Ｂに至るまでクリーンアップを行う構成を有することにより、長時間停止・開放されていたことにより発生する懸濁物を除去することができ、懸濁物がボイラ水張によりボイラ火炉内のボイラ系統の蒸発管路に蓄積されることがなくなり、ボイラ運転中に管内流に乱れが生じ、蒸発管が過熱損傷する恐れがなくなるように構成してある。
【実施例１】
【００１２】
図１の実施例において、７は前記プレボイラ系統の給水管路Ａに連通する火炉下部パスヘリカル管で、ボイラ中央の横長の太い火炉中間管寄８に集め、給水を均一にして、複数の火炉上部パス管９へ蒸発管エルボ部１０を介し、各過熱器に送り高温高圧蒸気にして前記蒸気系統の蒸発管路Ｂから高圧、中圧、低圧タービン６に供給されるように構成してある。
【００１３】
本発明は、ボイラ水張時におけるクリーンアップ方法において、ボイラ水張時に蒸発管エルボ部１０に蓄積した懸濁物を除去することからなる構成を有することにより、ボイラ水張時に蒸発管エルボ部１０に蓄積された懸濁物が除去され、ボイラ運転中に蒸発管エルボ部１０の管内流に乱れが生じ、蒸発管が過熱損傷する恐れがなくなる効果がある。
【図面の簡単な説明】
【００１４】
【図１】本発明方法の一実施例における蒸発管エルボ部を示す概略説明図。
【図２】本発明方法の一実施例におけるボイラ系統を示す概略説明図。
【符号の説明】
【００１５】
１    復水器
２    低圧給水加熱器
３    脱気器
４    高圧給水加熱器
５    ボイラ
６    タービン
７    火炉下部パスヘリカル管
８    火炉中間管寄
９    火炉上部パス管
１０  蒸発管エルボ部
【図１】
2008175482.tif 000003
【図２】
2008175482.tif 000004
(57)【要約】【課題】再熱除湿運転を有する空気調和機において、再熱除湿運転の際、内外気温、風量設定、運転周波数の変化に応じて、除湿用絞り弁に入る冷媒状態に差を生じ、冷媒が気体、液体の状態で交互に流れることにより、大きな気泡が発生するために生じる、除湿用絞り弁や配管から発生する冷媒音を低減すること。【解決手段】加熱部１ａと冷却部１ｂと、除湿用絞り弁２とを備えた空気調和機の室内機において、除湿用絞り弁２を加熱部１ａの前面に配置し、加熱部１ａと冷却部１ｂとをつなぐ配管２と除湿用絞り弁とを覆うカバー３を設ける。【選択図】図２
2008175471.tif 000002
【特許請求の範囲】
【請求項１】
加熱部と冷却部とからなる熱交換器と、前記加熱部と前記冷却部とを連結する配管に設けられる除湿用絞り弁とを有する室内機を備えた空気調和機であって、前記除湿用絞り弁は、前記熱交換器の前面に配置され、カバーにより覆われることを特徴とする空気調和機。
【請求項２】
前記カバーは、前面部以外に切欠き部が設けられることを特徴とする請求項１に記載の空気調和機。
【請求項３】
前記除湿用絞り部および前記配管と前記カバーとの間に、空間部が設けられることを特徴とする請求項１または２に記載の空気調和機。
【発明の詳細な説明】
【技術分野】
【０００１】
本発明は、除湿用絞り弁を有する空気調和機に関するものである。
【背景技術】
【０００２】
図４は、再熱除湿運転を行うための冷凍サイクルの一例を示す図である。圧縮機７から出力される高温高圧の冷媒は、室外の熱交換器９を通って、室内機へと供給される。冷房運転の場合、冷媒は、四方弁８を経て、室外の絞り装置１０にて低温低圧の状態になり、室内へ供給される。再熱除湿運転の場合は、室外の絞り装置１０はバイパスされて、冷媒は中温高圧の状態で室内側へと供給される。室外の絞り装置１０に膨張弁を用いる場合は、膨張部は全開される。
【０００３】
そして、室内熱交換機１の加熱部１ａを通過後、室内の除湿用絞り弁２にて低温低圧の状態となり、前記室内熱交換器１の冷却部１ｂへと供給される。
【０００４】
従来の再熱除湿機能を有する空気調和機の場合、室内側に前記除湿用絞り弁２を有するため、冷媒音が発生することがあった。なお、再熱除湿機能を有する空気調和機については、例えば、特許文献１に説明されている。
【特許文献１】特開２００５−２０１４８９号公報
【発明の開示】
【発明が解決しようとする課題】
【０００５】
上記従来の空気調和機の構成では、冷凍サイクルにおいて、再熱除湿運転の際、内外気温、風量設定、運転周波数の変化に応じて、室内機の除湿用絞り弁に入る冷媒状態に差を生じ、冷媒が気体、液体の状態で交互に流れることにより、大きな気泡が発生するため、除湿用絞り弁２や配管４から冷媒音が発生する可能性がある。
【０００６】
本発明は、このような点に鑑み、上記除湿用絞り弁２や配管４から発生する冷媒音を低減できるようにした空気調和機を提供することを目的としている。
【課題を解決するための手段】
【０００７】
上記目的を達成するために、本発明の空気調和機は、上記室内熱交換器の前面側に除湿用絞り弁を配設するとともに、その除湿用絞り弁の前面側に除湿用絞り弁を覆うカバーを設けたものである。
【発明の効果】
【０００８】
本発明は、室内熱交換器の前面側に除湿用絞り弁を配置するとともに、その除湿用絞り弁の前面側に除湿用絞り弁や配管を覆うカバーを設け、なおかつ、側面と上部に切欠き部を設けることで前面から生じる冷媒音を低減することができ、除湿時の快適性を向上させることができる。
【発明を実施するための最良の形態】
【０００９】
第１の発明は、加熱部と冷却部とからなる熱交換器と、前記加熱部と前記冷却部とを連結する配管に設けられる除湿用絞り弁とを有する室内機を備えた空気調和機であって、前記除湿用絞り弁は、前記熱交換器の前面に配置され、カバーにより覆われるものである。
【００１０】
これにより、室内機前面から生じる冷媒音を低減することができる。
【００１１】
第２の発明は、第１の発明において、前記カバーは、前面部以外に切欠き部が設けられるものである。これにより、室内機前面から生じる冷媒音を低減することができる。
【００１２】
第３の発明は、第１または第２の発明において、前記除湿用絞り部および前記配管と前記カバーとの間に、空間部が設けられるものである。これにより、室内機前面から生じる冷媒音を低減することができる。
【００１３】
以下に、本発明の実施の形態について図面を参照しながら説明する。なお、図４に示される空気調和機と同一箇所には同一符号を付し、その説明を省略する。
【００１４】
（実施の形態１）
図１は、本発明の第１の実施の形態による空気調和機の補助配管の概略構成を示したものであり、前面パネルやフィルターや前面グリル及び台枠をとり除いた状態を示す正面図である。図２（ａ）は、本実施の形態による空気調和機の室内機に取り付けられたカバーの正面図であり、図２（ｂ）は、図２（ａ）において点線Ａ−Ａで示された部分の断面図である。
【００１５】
図１および図２に示されるように、除湿用絞り弁２は、熱交換器の伝熱管を接続する配管４や、室内熱交換器と室外熱交換器とを接続する補助配管１２が配置されているところで、室内熱交換機１の加熱部１ａと室内熱交換器１の冷却部１ｂとを結ぶ配管４に設けられるものであるが、本実施の形態においては、加熱部１ａの前面側に配設されている。また、除湿用絞り弁２の前面側に除湿用絞り弁２を覆うカバー３が設けられている。
【００１６】
図３はカバー３の前面側からみた斜視図である。図３に示すように、カバー３により除湿用絞り弁２や配管４の前面を覆うことで、除湿用絞り弁２や配管４から発生する冷媒音を低減させ、さらに、前面部以外に切欠き部５を設けることや空間部６を設けることで前面側への冷媒音を低減することができる。
【産業上の利用可能性】
【００１７】
本発明は、空気調和機に適用できるものであり、室内熱交換器の前面側に除湿用絞り弁を配置するとともに、その除湿用絞り弁の前面側に除湿用絞り弁や配管を覆うカバーを設けることにより、室内機前面から生じる冷媒音を低減することができ、除湿時の快適性を向上させることができる。
【図面の簡単な説明】
【００１８】
【図１】本発明の実施の形態１による空気調和機（室内機）の正面図
【図２】（ａ）本発明の実施の形態１によるカバーの正面図（ｂ）図２（ａ）において点線Ａ−Ａで示された部分の断面図
【図３】本発明の実施の形態１によるカバーの斜視図
【図４】従来の除湿運転が可能な空気調和機の冷凍サイクルを示す図
【符号の説明】
【００１９】
１  室内熱交換器
１ａ  加熱部
１ｂ  冷却部
２  除湿用絞り弁
３  カバー
４  配管
５  切欠き部
６  空間部
７  圧縮機
８  四方弁
９  室外熱交換器
１０  室外の絞り装置
【図１】
2008175471.tif 000003
【図２】
2008175471.tif 000004
【図３】
2008175471.tif 000005
【図４】
2008175471.tif 000006
(57)【要約】【課題】小規模な水道管水圧を利用し、水圧を飛散させることなく、高効率の発電機を提供し、家庭内における車椅子の持ち上げや障害者の入浴などの便をはかる。【解決手段】水道管水圧を利用して複数のピストンシリンダー1，１１のビストンロッド２，１２を位相をずらして作動させ、これを動力源として、クランク軸４，１４を回転し、該回転をクランク軸一端に連結した増速機８より発電機１０に伝導して、発電機１０に適正回転を付与し、発電する。【選択図】      図１
2008175175.tif 000002
【特許請求の範囲】
【請求項１】
水道管水圧を利用して複数のピストンシリンダーのピストンロッドを位相をずらして作動させ、これを動力源としてクランク運動によりクランク軸を回転し、該回転をクランク軸一端に連結した増速機より発電機に伝達付与して、発電機に適正回転を付与し、発電することを特徴とする水道管水圧を利用した発電機。
【発明の詳細な説明】
【技術分野】
【０００１】
本発明は家庭用水道管の水圧を利用した簡易水力発電機に関するものである。
【背景技術】
【０００２】
脚部等に怪我や障害を持つ人々にとって車椅子は必要不可欠なものとして使用されているが、車椅子は自宅の玄関のたたきから床に上がる際には介添えの人の手を借りて車椅子を持ち上げる必要がある。また、障害者用の風呂において障害者を浴槽に入れたり出したりするには、やはり介添え者の手を必要としている。
【０００３】
そこで、本発明者はさきに上記のような車椅子の昇降や障害者の風呂への出し入れを複雑な電動モータや油圧モータ等の設備投資の大きなモータを使用することなく、簡易に行なえる駆動装置について検討し、家庭用水道管の水圧を利用した駆動装置を提案した。（特許文献１参照）
【特許文献１】特開昭８−１０８９９５号公報
【発明の開示】
【発明が解決しようとする課題】
【０００４】
本発明は上記の如き水道管水圧による駆動装置の利用の一環として家庭内等における前記車椅子の持ち上げや、風呂内への障害者の入浴を補助するべく動力源として家庭内水道管水圧を利用した簡易発電機を提供することを目的とするものである。
【課題を解決するための手段】
【０００５】
即ち、上記目的に適合する本発明は、水道管水圧を利用して複数のピストンシリンダーのピストンロッドを位相をずらして作動させ、これを動力源としてクランク運動によりクランク軸を回転し、該回転をクランク軸一端に連結した増速機を用いて発電機に適正回転を伝達付与し発電する簡易水力発電機を特徴とする。
【発明の効果】
【０００６】
本発明は上述の如く家庭用水道管の水圧を利用するものであるため、利用が手軽であり、しかも水圧を飛散させることなく有効に利用できるので高効率で家庭内における車椅子の持ち上げや、障害者の風呂への入浴などを簡単に電動化して行うことができる実用的な効果を有している。
【発明を実施するための最良の形態】
【０００７】
以下、添付図面を参照して本発明の具体的な実施の形態について説明する。
【０００８】
図１は本発明に係る発電機の発電態様の1例を示し、、図において、１，１１は家庭内水道管水圧利用の各ピストンシリンダーであり、各シリンダー１，１１は前後に水道管水圧を使用した給水管１ａ，１ｂ及び１１ａ，１１ｂを有すると共に、図示していないが給水路の途中より分岐して排水管を有していて、これら給水管及び排水管を付設された電磁弁２０の開閉に応じて開閉させ、交互に位相をずらしてシリンダーの前後に給水，排水を行うことによりシリンダーのピストンロッド２，１２を交互に往復移動させ、該ピストンロッド２，１２の先端に連結された連結棒３，１３に圧力を加えることにより、これに連結されたクランク４，１４を位相をずらして回動させ、該クランク回動によるクランク軸５の回動を軸端部に直接又は図示の如くプーリ９，９′を介して連結した増速機８に伝達し発電機１０の芯に伝動して回転を付与し、発電しせめるようになっている。
【０００９】
ここで、増速機８による増速割合は調整方式でも固定方式でもよいが、適宜、適当な回転数として発電機１０に伝達し、発電が行なわれる。これを更に詳述すると、先ず第１のシリンダー１の後室側に水道管より所定の、通常、４〜５ｋｇ圧の水圧を保持する圧力水を給水し、前室側が排水されて第１シリンダーのビストンロッド２が前方へ突出動し、連結枠３を介してクランク４に前方への押圧力を付与すると共に、第１のシリンダー１への給排水が電磁弁２０の開閉により交替し、後室側が排水されて前室側に水道管による圧力水が給水されると同時に位相をずらして第２のシリンダー１１に対し前室側が排水され、後室側に給水されて第２のシリンダー１１のピストンロッド１２が前方へ突出し、連結棒１３を介して第２のクランク１４を押圧し、第１のシリンダー１と第２のシリンダー１１の位相の異なる前後交互作用によりクランクを回動させる。
【００１０】
なお、図示例ではシリンダーは第１，第２の２個のシリンダーを使用しているが、２個でなく、３個あるいは３個以上を使用とすることも可能であり、同様の交互作用によりクランクを回動させる。また、上記水道管水圧には、井戸からポンプにより汲み上げた水圧も含む。
【００１１】
かくて、この繰り返しによりクランク４，１４はベアリング６に支持されたクランク軸５を回動させる。なお、クランクの回動は固定式あるいはタイミング盤７によって適宜調整し、端部の増速機８を回動させ、プーリー９に所要の回転数による回動を伝えると共に、このプーリー１０の回転をチェイン，ベルト等の伝動具を介して発電機１０のプーリー９′に伝達し、発電機１０の芯体を回動させ発電せしめる。
【００１２】
以上のように、給水管を介し水道管水を給水し、排水管を介して排水して給排水を繰り返すことにより水道管水圧により発電機に適正な回転数を付与し、発電することができ、この発電を動力源として家庭内における各介護設備等を作動させる。
【００１３】
この水道管水圧の利用は頗る手軽であると共に、水圧を飛散させることなく有効に使用できるので高効率である。また、家庭用水道水は不純物も少ないため発電による損耗も少なく利用上のメリットも大である。
【図面の簡単な説明】
【００１４】
【図１】本発明に係る水道管水圧利用の水力発電機の1態様を示す概要図である。
【符号の説明】
【００１５】
１，１１：シリンダー
１ａ，１ｂ：給水管
１ｂ，１１ｂ：排水管
２，１２：ピストンロッド
３，１３：連結棒
４，１４：クランク
５：クランク軸
６：ベアリング
７：タイミング盤
８：増速機
９：プーリー
９′：プーリー
１０：発電機
２０：電磁弁
【図１】
2008175175.tif 000003